(57)【要約】【課題】群管理システムと電力管理システムとの間において蓄電システムに関する情報を伝送する技術を提供する。【解決手段】第１群管理システムサーバ１２ａは、蓄電システムの動作を制御する第１電力管理システムサーバ１４ａと第２電力管理システムサーバ１４ｂに接続される。生成部４１４は、蓄電システムに対する要求に関する情報を生成する。送信部４１６は、生成部４１４において生成した情報を第１電力管理システムサーバ１４ａと第２電力管理システムサーバ１４ｂの少なくとも１つに送信する。蓄電システムに対する要求に関する情報は、蓄電システムにおける調整の要求に関する情報を含む。【選択図】図３
2018207721.tif 000002
【特許請求の範囲】
【請求項１】
蓄電システムの動作を制御する複数の電力管理システムに接続される群管理システムであって、
蓄電システムに対する要求に関する情報を生成する生成部と、
前記生成部において生成した情報を前記複数の電力管理システムの少なくとも１つに送信する送信部とを備え、
前記蓄電システムに対する要求に関する情報は、前記蓄電システムにおける調整の要求に関する情報を含むことを特徴とする群管理システム。
【請求項２】
前記蓄電システムにおける調整の要求に関する情報は、前記蓄電システムからの出力の増加指示あるいは減少指示に関する情報を含むことを特徴とする請求項１に記載の群管理システム。
【請求項３】
前記蓄電システムからの出力の増加指示あるいは減少指示に関する情報は、増加あるいは減少の大きさに関する情報を含むことを特徴とする請求項２に記載の群管理システム。
【請求項４】
前記蓄電システムにおける調整の要求に関する情報は、前記蓄電システムが充電あるいは放電を実行すべき時間に関する情報を含むことを特徴とする請求項１に記載の群管理システム。
【請求項５】
前記蓄電システムにおける調整の要求に関する情報は、前記蓄電システムが充電あるいは放電を実行可能な時間に関する情報を含むことを特徴とする請求項１に記載の群管理システム。
【請求項６】
前記蓄電システムが充電あるいは放電を実行可能な時間に関する情報が前記送信部から送信された後、充電あるいは放電の実行開始に関する情報を前記電力管理システムから受信する受信部をさらに備え、
前記送信部は、前記充電あるいは放電の実行開始に関する情報の内容に応じて、充電あるいは放電の実行禁止に関する情報を前記電力管理システムに送信することを特徴とする請求項５に記載の群管理システム。
【請求項７】
前記蓄電システムにおける調整の要求に関する情報が前記送信部から送信された後、前記蓄電システムの制御実績に関する情報を前記電力管理システムから受信する受信部をさらに備えることを特徴とする請求項１から５のいずれか１項に記載の群管理システム。
【請求項８】
前記蓄電システムにおける調整の要求に関する情報が前記送信部から送信された後、前記蓄電システムが調整不可能である通知を前記電力管理システムから受信する受信部をさらに備えることを特徴とする請求項１から５のいずれか１項に記載の群管理システム。
【請求項９】
前記蓄電システムにおける調整の要求に関する情報が前記送信部から送信された後、前記蓄電システムが調整可能な内容を前記電力管理システムから受信する受信部をさらに備えることを特徴とする請求項１から５のいずれか１項に記載の群管理システム。
【請求項１０】
群管理システムに接続される複数の電力管理システムのうちの１つの電力管理システムであって、
蓄電システムに対する要求に関する情報を前記群管理システムから受信する受信部と、
前記受信部において受信した情報をもとに、前記蓄電システムの動作を制御する処理部とを備え、
前記蓄電システムに対する要求に関する情報は、前記蓄電システムにおける調整の要求に関する情報を含むことを特徴とする電力管理システム。
【請求項１１】
群管理システムに接続される複数の電力管理システムのうちの１つの電力管理システムに接続される蓄電システムであって、
本蓄電システムに対する要求に関する情報を前記電力管理システムから受信する受信部と、
前記受信部において受信した情報をもとに、本蓄電システムの動作を制御する処理部とを備え、
本蓄電システムに対する要求に関する情報は、本蓄電システムにおける調整の要求に関する情報を含むことを特徴とする蓄電システム。
【請求項１２】
蓄電システムの動作を制御する複数の電力管理システムに接続される群管理システムにおける送信方法であって、
蓄電システムに対する要求に関する情報を生成するステップと、
生成した情報を前記複数の電力管理システムの少なくとも１つに送信するステップとを備え、
前記蓄電システムに対する要求に関する情報は、前記蓄電システムにおける調整の要求に関する情報を含むことを特徴とする送信方法。
【請求項１３】
蓄電システムの動作を制御する複数の電力管理システムに接続される群管理システムにおけるプログラムであって、
蓄電システムに対する要求に関する情報を生成するステップと、
生成した情報を前記複数の電力管理システムの少なくとも１つに送信するステップとを備え、
前記蓄電システムに対する要求に関する情報は、前記蓄電システムにおける調整の要求に関する情報を含むことをコンピュータに実行させるためのプログラム。
【発明の詳細な説明】
【技術分野】
【０００１】
本発明は、電力を管理する群管理システム、電力管理システム、蓄電システム、送信方法、プログラムに関する。
【背景技術】
【０００２】
電力管理システムでは、需要家に設置された機器が制御装置によって制御される。機器は、例えば、太陽電池、蓄電池、燃料電池等の分散電源、家電機器を含む。このような制御装置は、上位のスマートサーバに接続される。スマートサーバは、複数の需要家を統括的に管理する（例えば、特許文献１参照）。
【先行技術文献】
【特許文献】
【０００３】
【特許文献１】特開２０１４−３３５９１号公報
【発明の概要】
【発明が解決しようとする課題】
【０００４】
需要家において電力系統に接続された蓄電システムは電力管理システムによって制御されているが、さらに複数の電力管理システムが群管理システムによって制御される場合、群管理システムから蓄電システムを制御できる方が好ましい。そのためには、群管理システムと電力管理システムとの間において、蓄電システムに関する情報を伝送することが必要になる。
【０００５】
本発明はこうした状況に鑑みなされたものであり、その目的は、群管理システムと電力管理システムとの間において蓄電システムに関する情報を伝送する技術を提供することにある。
【課題を解決するための手段】
【０００６】
上記課題を解決するために、本発明のある態様の群管理システムは、蓄電システムの動作を制御する複数の電力管理システムに接続される群管理システムであって、蓄電システムに対する要求に関する情報を生成する生成部と、生成部において生成した情報を複数の電力管理システムの少なくとも１つに送信する送信部とを備える。蓄電システムに対する要求に関する情報は、蓄電システムにおける調整の要求に関する情報を含む。
【０００７】
本発明の別の態様は、電力管理システムである。この電力管理システムは、群管理システムに接続される複数の電力管理システムのうちの１つの電力管理システムであって、蓄電システムに対する要求に関する情報を群管理システムから受信する受信部と、受信部において受信した情報をもとに、蓄電システムの動作を制御する処理部とを備える。蓄電システムに対する要求に関する情報は、蓄電システムにおける調整の要求に関する情報を含む。
【０００８】
本発明のさらに別の態様は、蓄電システムである。この蓄電システムは、群管理システムに接続される複数の電力管理システムのうちの１つの電力管理システムに接続される蓄電システムであって、本蓄電システムに対する要求に関する情報を電力管理システムから受信する受信部と、受信部において受信した情報をもとに、本蓄電システムの動作を制御する処理部とを備える。本蓄電システムに対する要求に関する情報は、本蓄電システムにおける調整の要求に関する情報を含む。
【０００９】
本発明のさらに別の態様は、送信方法である。この方法は、蓄電システムの動作を制御する複数の電力管理システムに接続される群管理システムにおける送信方法であって、蓄電システムに対する要求に関する情報を生成するステップと、生成した情報を複数の電力管理システムの少なくとも１つに送信するステップとを備える。蓄電システムに対する要求に関する情報は、蓄電システムにおける調整の要求に関する情報を含む。
【００１０】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【００１１】
本発明によれば、群管理システムと電力管理システムとの間において蓄電システムに関する情報を伝送できる。
【図面の簡単な説明】
【００１２】
【図１】実施例１に係るＶＰＰシステムの構成を示す図である。
【図２】図１の需要家の構成を示す図である。
【図３】図１の第１群管理システムサーバ、第１電力管理システムサーバ、第２電力管理システムサーバの構成を示す図である。
【図４】図４（ａ）−（ｉ）は、図２の群管理システムサーバにおいて使用されるメッセージのフォーマットを示す図である。
【図５】図３の第１電力管理システムサーバの処理概要を示す図である。
【図６】図６（ａ）−（ｆ）は、図２の群管理システムサーバにおいて使用される別のメッセージのフォーマットを示す図である。
【図７】図７（ａ）−（ｄ）は、図１のＶＰＰシステムにおける電力管理システムサーバの様々な配置を示す図である。
【図８】図１のＶＰＰシステムにおける処理手順を示すシーケンス図である。
【図９】図９（ａ）−（ｂ）は、実施例２に係る電力管理システムサーバの処理概要を示す図である。
【図１０】図１０（ａ）−（ｄ）は、実施例２に係る群管理システムサーバにおいて使用されるメッセージのフォーマットを示す図である。
【図１１】実施例３における電力需要の変動を示す図である。
【図１２】実施例３に係る電力管理システムサーバにおいて定義される変動速度を示す図である。
【図１３】図１３（ａ）−（ｄ）は、実施例３に係る群管理システムサーバにおいて使用されるメッセージのフォーマットを示す図である。
【図１４】図１４（ａ）−（ｃ）は、実施例４に係る群管理システムサーバにおいて使用されるメッセージのフォーマットを示す図である。
【図１５】実施例４に係るＶＰＰシステムにおける処理手順を示すシーケンス図である。
【発明を実施するための形態】
【００１３】
（実施例１）
本発明の実施例を具体的に説明する前に、実施例の基礎となった知見を説明する。実施例は、点在する小規模な太陽光発電システム、蓄電システム、燃料電池システム等の機器と、電力の需要抑制を統合して制御するＶＰＰ（Ｖｉｒｔｕａｌ  Ｐｏｗｅｒ  Ｐｌａｎｔ）に関する。ＶＰＰは、太陽光発電システム、蓄電システム、燃料電池システム等の機器をネットワークを介して制御することによって、これらを１つの発電所のようにまとめて機能させる。ここで、太陽光発電システム、蓄電システム、燃料電池システム等の機器は各需要家に設置される。需要家は、電力会社等からの電力の供給を受けている施設であり、例えば、住宅、事務所、店舗、工場、公園などである。このような需要家における機器は電力管理システムによって制御される。電力管理システムは、需要家における電力の消費量が大きい時間帯において蓄電システムを放電させたり、電力系統の電気料金が安価である夜間において蓄電システムを充電させたりする。
【００１４】
複数の電力管理システムは、群管理システムに接続される。また、群管理システムは、複数の群管理システムを統合するアグリゲータである上位システムに接続される。上位システムと群管理システムに、需要家に設置された蓄電システム等の機器を加えたものがＶＰＰに相当する。上位システムは、市場で、あるいは事業者と相対契約で電力を取引する。また、上位システムは、電力取引市場や電力会社の送配電部門、小売電気事業者等に集約した調整力を提供する。そのため、上位システムは、市場あるいは各事業者に提供する調整力を決定し、調整力を各群管理システムに配分する。各群管理システムは、さらに調整力を各需要家に配分する。これより、群管理システムは、上位システムからの要求に応じて売電あるいは買電するように、複数の電力管理システムのそれぞれに対して制御を指示する。例えば、群管理システムは、発電所において発電される電力が逼迫する場合、蓄電システムを放電させたり、需要家における電力消費を抑制させたりするように制御することを電力管理システムに要求する。なお、上位システムが存在しない場合、ＶＰＰは群管理システムと機器を含み、群管理システムは市場で、あるいは事業者と相対契約で電力を取引する。
【００１５】
群管理システムに複数の電力管理システムが接続され、各電力管理システムに１つ以上の蓄電システムが接続されることによって、これらは階層的に配置されている。このような配置において、群管理システムが、蓄電システムの状況を考慮せずに各電力管理システムに要求を出力した場合、電力管理システムが要求に応じた処理を実行できない場合がある。例えば、群管理システムから要求された放電量が蓄電システムに蓄えられていない場合である。その際、電力管理システムは、要求に応じた処理を実行できないことを群管理システムに報告するが、このような処理が増加すると、処理の効率が低下する。
【００１６】
このような効率の低下を抑制するためには、群管理システムから各電力管理システムに、蓄電システムに対する要求を送信することが望ましい。一方、そのような処理の前提として、蓄電システムに関する情報が群管理システムに集められる必要がある。これらを実現するために、群管理システムと電力管理システムとの間において蓄電システムに関する情報を伝送する構成が求められる。
【００１７】
図１は、実施例１に係るＶＰＰシステム１００の構成を示す。ＶＰＰシステム１００は、上位システムサーバ１０、群管理システムサーバ１２と総称される第１群管理システムサーバ１２ａ、第２群管理システムサーバ１２ｂ、第Ｍ群管理システムサーバ１２ｍ、電力管理システムサーバ１４と総称される第１電力管理システムサーバ１４ａ、第２電力管理システムサーバ１４ｂ、第Ｎ電力管理システムサーバ１４ｎを含む。ここで、第１電力管理システムサーバ１４ａは第１需要家１６ａに設置され、第２電力管理システムサーバ１４ｂは第２需要家１６ｂに設置され、第Ｎ電力管理システムサーバ１４ｎは第Ｎ需要家１６ｎに設置され、第１需要家１６ａ、第２需要家１６ｂ、第Ｎ需要家１６ｎは需要家１６と総称される。なお、群管理システムサーバ１２の数は「Ｍ」に限定されず、電力管理システムサーバ１４と需要家１６の数は「Ｎ」に限定されない。
【００１８】
需要家１６は、例えば、一戸建ての住宅、マンションなどの集合住宅、コンビニエンスストアまたはスーパーマーケットなどの店舗、ビルなどの商用施設、工場であり、前述のごとく、電力会社等からの電力の供給を受けている施設である。需要家１６には、空調機器（エアコン）、テレビジョン受信装置（テレビ）、照明装置、蓄電システム、ヒートポンプ給湯機等の機器が設置される。これらの機器は、電力事業者等の電力系統に接続されることによって、商用電力の供給を受けて、電力を消費する。機器として、電力使用の削減量が比較的大きいと想定されるものが有用であるが、削減量があまり大きくないと想定されるものであってもよい。なお、機器に、太陽電池システム、燃料電池システム等の再生可能エネルギー発電装置が含まれてもよい。
【００１９】
電力管理システムサーバ１４は、電力管理システムの処理を実行するためのコンピュータであり、例えば、需要家１６内に設置される。電力管理システムサーバ１４は、例えば、ＨＥＭＳ（Ｈｏｍｅ  Ｅｎｅｒｇｙ  Ｍａｎａｇｅｍｅｎｔ  Ｓｙｓｔｅｍ）コントローラとしての機能を有する。そのため、電力管理システムサーバ１４は、ＨＡＮ（Ｈｏｍｅ  Ａｒｅａ  Ｎｅｔｗｏｒｋ）により需要家１６内の各種機器と通信可能であり、これらの機器を制御する。電力管理システムサーバ１４は、蓄電システムの動作、例えば、放電、充電を制御する。また、電力管理システムサーバ１４は、需要家１６に設置された機器と電力系統との間の連系を制御してもよい。電力管理システムサーバ１４は、停電時に機器と電力系統との間を解列し、復電時に機器と電力系統との間を連系する。
【００２０】
群管理システムサーバ１２は、群管理システムの処理を実行するためのコンピュータである。群管理システムサーバ１２は、複数の電力管理システムサーバ１４を接続することによって、複数の電力管理システムサーバ１４を管理する。その結果、群管理システムサーバ１２は、複数の電力管理システムサーバ１４のそれぞれに接続される複数の機器を統括的に管理する。複数の群管理システムサーバ１２は、上位システムサーバ１０に接続される。上位システムサーバ１０は、アグリゲータである上位システムの処理を実行するためのコンピュータである。前述のごとく、上位システムと群管理システムを含むＶＰＰは、市場で、あるいは事業者と相対契約で電力を取引しており、上位システムサーバ１０は、契約に応じた要求を群管理システムサーバ１２に出力する。なお、１つの群管理システムサーバ１２が複数の上位システムサーバ１０に接続されてもよい。
【００２１】
このような構成によって、電力需要が逼迫する場合、群管理システムサーバ１２は、蓄電システムから放電した電力を需要家１６内で消費させたり、需要家１６内での電力消費を抑制させたりするように電力管理システムサーバ１４を制御する。また、需要家１６内の再生可能エネルギー発電装置での発電が増加し、余剰の電力が増加する場合、群管理システムサーバ１２は、蓄電システムへの充電を増やしたり、需要家１６内での需要を増大させたりするように電力管理システムサーバ１４を制御する。
【００２２】
図２は、需要家１６の構成を示す。需要家１６には、電力系統３０、スマートメータ３２、分電盤３４、負荷３６、太陽電池システム３８、蓄電システム４０、電力管理システムサーバ１４、例えば第１電力管理システムサーバ１４ａが設置される。また、太陽電池システム３８は、ＰＶ（Ｐｈｏｔｏｖｏｌｔａｉｃｓ）２００、ＰＶ用ＤＣ（Ｄｉｒｅｃｔ  Ｃｕｒｒｅｎｔ）／ＤＣ２０２、ＰＶ用ＤＣ／ＡＣ（Ａｌｔｅｒｎａｔｉｎｇ  Ｃｕｒｒｅｎｔ）２０４を含み、蓄電システム４０は、ＳＢ（Ｓｔｏｒａｇｅ  Ｂａｔｔｅｒｙ）２１０、ＳＢ用ＤＣ／ＤＣ２１２、双方向ＤＣ／ＡＣインバータ２１４、制御装置２１６を含み、制御装置２１６は、受信部４００、処理部４０２を含む。さらに、第１電力管理システムサーバ１４ａには、ネットワーク１８を介して群管理システムサーバ１２、例えば第１群管理システムサーバ１２ａが接続される。なお、第１電力管理システムサーバ１４ａには、ネットワーク１８を介して第２群管理システムサーバ１２ｂが接続されてもよい。
【００２３】
スマートメータ３２は、電力系統３０に接続され、デジタル式の電力量計である。スマートメータ３２は、電力系統３０から入ってくる潮流の電力量と、電力系統３０へ出て行く逆潮流の電力量とを計測可能である。スマートメータ３２は、通信機能を有し、電力管理システムサーバ１４と通信可能である。
【００２４】
ＰＶ２００は、太陽電池であり、再生可能エネルギー発電装置である。ＰＶ２００は、光起電力効果を利用し、光エネルギーを直接電力に変換する。太陽電池として、シリコン太陽電池、化合物半導体などを素材にした太陽電池、色素増感型（有機太陽電池）等が使用される。ＰＶ２００は、ＰＶ用ＤＣ／ＤＣ２０２に接続され、発電した直流電力をＰＶ用ＤＣ／ＤＣ２０２に出力する。
【００２５】
ＰＶ用ＤＣ／ＤＣ２０２は、ＤＣ−ＤＣコンバータであり、ＰＶ２００から出力される直流電力を、所望の電圧値の直流電力に変換し、変換した直流電力をＰＶ用ＤＣ／ＡＣ２０４に出力する。ＰＶ用ＤＣ／ＤＣ２０２は、例えば、昇圧チョッパで構成される。ＰＶ用ＤＣ／ＤＣ２０２は、ＰＶ２００の出力電力が最大になるようＭＰＰＴ(Ｍａｘｉｍｕｍ  Ｐｏｗｅｒ  Ｐｏｉｎｔ  Ｔｒａｃｋｉｎｇ)制御される。ＰＶ用ＤＣ／ＡＣ２０４は、ＤＣ−ＡＣインバータであり、ＰＶ用ＤＣ／ＤＣ２０２から出力される直流電力を交流電力に変換し、交流電力を配電線４２に出力する。
【００２６】
配電線４２は、スマートメータ３２と分電盤３４とを結ぶとともに、それらの間における交点Ｐから分岐してＰＶ用ＤＣ／ＡＣ２０４も結ぶ。分電盤３４は、配電線４２に接続されるとともに、負荷３６を接続する。分電盤３４は、負荷３６に電力を供給する。負荷３６は、配電線４２を介して供給される電力を消費する機器である。負荷３６は、冷蔵庫、エアコン、照明等の機器を含む。ここでは、分電盤３４に１つの負荷３６が接続されているが、分電盤３４に複数の負荷３６が接続されてもよい。
【００２７】
ＳＢ２１０は、電力を充放電可能な蓄電池であり、リチウムイオン蓄電池、ニッケル水素蓄電池、鉛蓄電池、電気二重層キャパシタ、リチウムイオンキャパシタ等を含む。ＳＢ２１０はＳＢ用ＤＣ／ＤＣ２１２に接続される。ＳＢ用ＤＣ／ＤＣ２１２は、ＤＣ−ＤＣコンバータであり、ＳＢ２１０側の直流電力と、双方向ＤＣ／ＡＣインバータ２１４側の直流電力との間の変換を実行する。
【００２８】
双方向ＤＣ／ＡＣインバータ２１４は、ＳＢ用ＤＣ／ＤＣ２１２と分電盤３４との間に接続される。双方向ＤＣ／ＡＣインバータ２１４は、分電盤３４からの交流電力を直流電力に変換し、変換した直流電力をＳＢ用ＤＣ／ＤＣ２１２に出力する。また、双方向ＤＣ／ＡＣインバータ２１４は、ＳＢ用ＤＣ／ＤＣ２１２からの直流電力を交流電力に変換し、変換した交流電力を分電盤３４に出力する。つまり、双方向ＤＣ／ＡＣインバータ２１４によってＳＢ２１０は充放電される。このような双方向ＤＣ／ＡＣインバータ２１４の制御は制御装置２１６によってなされる。ここで、ＰＶ２００、ＰＶ用ＤＣ／ＤＣ２０２、ＰＶ用ＤＣ／ＡＣ２０４は一体的に形成されてもよく、その場合であっても、太陽電池システム３８と呼ぶものとする。また、ＳＢ２１０、ＳＢ用ＤＣ／ＤＣ２１２、双方向ＤＣ／ＡＣインバータ２１４、制御装置２１６は１つの筐体に格納されてもよく、その場合であっても、これを蓄電システム４０と呼ぶものとする。
【００２９】
第１電力管理システムサーバ１４ａは、ＨＡＮ等のネットワークを介して、スマートメータ３２、太陽電池システム３８、蓄電システム４０に接続され、それぞれと通信可能である。以下では、第１電力管理システムサーバ１４ａと太陽電池システム３８との間の通信、第１電力管理システムサーバ１４ａとスマートメータ３２との間の通信は説明を省略する。また、第１電力管理システムサーバ１４ａは、ネットワーク１８を介して第１群管理システムサーバ１２ａ、第２群管理システムサーバ１２ｂにも接続される。群管理システムサーバ１２と電力管理システムサーバ１４における処理および通信を説明するために、ここでは、図３を使用する。
【００３０】
図３は、第１群管理システムサーバ１２ａ、第１電力管理システムサーバ１４ａ、第２電力管理システムサーバ１４ｂの構成を示す。ここでは、一例として、図１のごとく、第１群管理システムサーバ１２ａに第１電力管理システムサーバ１４ａと第２電力管理システムサーバ１４ｂが接続されている場合を示す。第１群管理システムサーバ１２ａは、受信部４１０、処理部４１２、生成部４１４、送信部４１６を含む。第１電力管理システムサーバ１４ａは、サービス連携部３００、制御部３０２を含み、サービス連携部３００は、受信部５１０、処理部５１２、生成部５１４、送信部５１６を含む。第２電力管理システムサーバ１４ｂは第１電力管理システムサーバ１４ａと同一の構成を有する。以下では、説明を明瞭にするために、第１電力管理システムサーバ１４ａのサービス連携部３００、制御部３０２を単に「サービス連携部３００」、「制御部３０２」ということもある。以下では、これらの構成を（１）調整量の収集、（２）調整の指示の順に説明する。
【００３１】
（１）調整量の収集
第１群管理システムサーバ１２ａの生成部４１４は、需要家８０外からの要求に対する蓄電システム４０の調整量に関する情報を送信する機能の有無に関する情報を第１電力管理システムサーバ１４ａに要求するためのメッセージを生成する。図１のごとく、第１電力管理システムサーバ１４ａは第１需要家１６ａに設置されている。第１需要家１６ａにおいては、図２のように負荷３６が設置されているので、蓄電システム４０に蓄えられた電力は負荷３６において使用される。ここでは、負荷３６のために放電あるいは充電すべき電力量あるいは電力を「第１需要家１６ａ内消費」という。また、蓄電システム４０が放電あるいは充電可能な電力量あるいは電力から、第１需要家１６ａ内消費を除いた電力量あるいは電力が前述の「需要家８０外からの要求に対する蓄電システム４０の調整量」に相当する。
【００３２】
第１電力管理システムサーバ１４ａは、制御装置２１６と通信することによって、「第１需要家１６ａ内消費」と「需要家８０外からの要求に対する蓄電システム４０の調整量」とを把握している。一方、このような「需要家８０外からの要求に対する蓄電システム４０の調整量」を群管理システムサーバ１２に送信する機能を有する電力管理システムサーバ１４もあれば、送信の機能を有さない電力管理システムサーバ１４もある。第１群管理システムサーバ１２ａは、第１電力管理システムサーバ１４ａがそのような情報の送信機能を有するか否かを確認するために、生成部４１４は、前述のメッセージを生成する。
【００３３】
図４（ａ）−（ｉ）は、群管理システムサーバ１２において使用されるメッセージのフォーマットを示す図である。図４（ａ）のごとく、メッセージでは、メッセージ種別のフィールドに続いてデータのフィールドが配置される。メッセージ種別のフィールドは、メッセージの種別を示し、データのフィールドは、通知してほしいデータを示す。ここでは、例えば、メッセージ種別のフィールドが送信機能有無要求を示し、データのフィールドが「需要家８０外からの要求に対する蓄電システム４０の調整量に関する情報を送信する機能の有無」を示す。図４（ｂ）−（ｉ）は後述し、図３に戻る。生成部４１４は、送信機能有無要求のメッセージを送信部４１６に出力する。送信部４１６は、送信機能有無要求のメッセージを第１電力管理システムサーバ１４ａに送信する。
【００３４】
サービス連携部３００の受信部５１０は、送信機能有無要求のメッセージを受信する。処理部５１２は、メッセージ種別のフィールドをもとに送信機能有無要求であることを認識し、データのフィールドをもとに、「需要家８０外からの要求に対する蓄電システム４０の調整量を送信する機能の有無」を通知すべきであることを認識する。ここでは、送信機能があるとする。これに続いて、生成部５１４は、送信機能有無要求に応答するためのメッセージを生成する。メッセージのフォーマットは図４（ｂ）のように示され、メッセージ種別のフィールドには送信機能有無応答が示され、データのフィールドには送信機能有が示される。一方、図４（ｃ）は送信機能がない場合のメッセージのフォーマットを示す。メッセージ種別のフィールドは図４（ｂ）と同一であり、データのフィールドには送信機能無が示される。図３に戻る。生成部５１４は、送信機能有無応答のメッセージを送信部５１６に出力する。送信部５１６は、送信機能有無応答のメッセージを第１群管理システムサーバ１２ａに送信する。
【００３５】
第１群管理システムサーバ１２ａの受信部４１０は、送信機能有無応答のメッセージを第１電力管理システムサーバ１４ａから受信する。これは、需要家８０外からの要求に対する蓄電システム４０の調整量に関する情報を送信する機能の有無に関する情報を受信することに相当する。処理部４１２は、メッセージ種別のフィールドをもとに送信機能有無応答であることを認識し、データのフィールドをもとに、第１電力管理システムサーバ１４ａに送信機能が備えられていることを認識する。処理部４１２において、第１電力管理システムサーバ１４ａが送信機能を有していることを認識した場合、生成部４１４は、需要家８０外からの要求に対する蓄電システム４０の調整量に関する情報を第１電力管理システムサーバ１４ａに要求するためのメッセージを生成する。メッセージのフォーマットは図４（ａ）と同じであるが、メッセージ種別のフィールドには調整量要求が示され、データのフィールドには、需要家８０外からの要求に対する蓄電システム４０の調整量が示される。生成部４１４は、調整量要求のメッセージを送信部４１６に出力する。送信部４１６は、調整量要求のメッセージを第１電力管理システムサーバ１４ａに送信する。
【００３６】
サービス連携部３００の受信部５１０は、調整量要求のメッセージを受信する。処理部５１２は、メッセージ種別のフィールドをもとに調整量要求であることを認識し、データのフィールドをもとに、「需要家８０外からの要求に対する蓄電システム４０の調整量」を通知すべきであることを認識する。これに続く処理部５１２の処理を説明するために、ここでは図５を使用する。図５は、第１電力管理システムサーバ１４ａの処理概要を示す。ここでは、図２のごとく、第１電力管理システムサーバ１４ａが第１群管理システムサーバ１２ａに接続されながら、第２群管理システムサーバ１２ｂにも接続される状況を想定する。また、説明を明瞭にするために、「第１需要家１６ａ内消費」等における電力量あるいは電力を無次元の値で代表させる。例えば、第１電力管理システムサーバ１４ａにおいて管理する蓄電システム４０のポテンシャルは「１００」と示される。また、第１需要家１６ａ内消費は「４０」であるとされる。さらに、第１電力管理システムサーバ１４ａは第２群管理システムサーバ１２ｂとの間で「２０」の調整を契約しているとする。以下では、このような契約を「第２群管理システム契約」という。
【００３７】
このように、処理部５１２は、蓄電システム４０のポテンシャル「１００」、第１需要家１６ａ内消費「４０」、第２群管理システム契約「２０」を管理する。処理部５１２は、需要家８０外からの要求に対する蓄電システム４０の調整量として、第１群管理システムサーバ１２ａに対して蓄電システム４０が提供可能な調整量を算出する。具体的には、蓄電システム４０のポテンシャル「１００」から、第１需要家１６ａ内消費「４０」と第２群管理システム契約「２０」を減算することによって「４０」が算出される。図３に戻る。
【００３８】
これに続いて、生成部５１４は、調整量要求に応答するためのメッセージを生成する。メッセージのフォーマットは図４（ｄ）のように示され、メッセージ種別のフィールドには調整量応答が示され、データのフィールドには、第１群管理システムサーバ１２ａに対して蓄電システム４０が提供可能な調整量「４０」が示される。この調整量は、蓄電システム４０が放電あるいは充電可能な値として示される。なお、放電あるいは充電可能な値は、電力量（ｋＷｈ）、電力（ｋＷ）を単位として示されてもよい。また、放電は２ｋＷまで可能であるが、充電は１．５ｋＷまで可能であるように、調整可能量が充電側と放電側で異なってもよい。図３に戻る。生成部５１４は、調整量応答のメッセージを送信部５１６に出力する。送信部５１６は、調整量応答のメッセージを第１群管理システムサーバ１２ａに送信する。
【００３９】
第１群管理システムサーバ１２ａの受信部４１０は、調整量応答のメッセージを第１電力管理システムサーバ１４ａから受信する。これは、蓄電システム４０に関する情報として、需要家８０外からの要求に対する蓄電システム４０の調整量に関する情報を受信することに相当する。処理部４１２は、メッセージ種別のフィールドをもとに調整量応答であることを認識し、データのフィールドをもとに、第１群管理システムサーバ１２ａに対して蓄電システム４０が提供可能な調整量が「４０」であることを認識する。これまで説明した処理は、第２電力管理システムサーバ１４ｂに対しても同様になされる。そのため、処理部４１２は、第１群管理システムサーバ１２ａに対して、第１電力管理システムサーバ１４ａの蓄電システム４０が提供可能な調整量と、第２電力管理システムサーバ１４ｂの蓄電システム４０が提供可能な調整量とを管理する。
【００４０】
これまでの説明において、「需要家８０外からの要求に対する蓄電システム４０の調整量」として、「第１群管理システムサーバ１２ａに対して蓄電システム４０が提供可能な調整量」が調整量応答のメッセージに含まれる。調整量応答のメッセージに含まれる「需要家８０外からの要求に対する蓄電システム４０の調整量」は別の情報でもよい。以下では、別の情報を示す。
【００４１】
（Ａ）需要家８０外からの要求に対する蓄電システム４０の調整量に関する情報として、第１電力管理システムサーバ１４ａ以外に対して蓄電システム４０が提供する調整量に関する情報が使用されてもよい。前述の例の場合、これは第１需要家１６ａ内消費「４０」と第２群管理システム契約「２０」とに相当する。この場合のメッセージのフォーマットは図４（ｅ）のように示される。データのフィールドには、蓄電システム４０のポテンシャル「１００」と、第１電力管理システムサーバ１４ａ以外に対して蓄電システム４０が提供する調整量「４０」、「２０」が含まれる。第１群管理システムサーバ１２ａの処理部４１２は、蓄電システム４０のポテンシャル「１００」から、第１需要家１６ａ内消費「４０」と第２群管理システム契約「２０」を減算することによって「４０」を算出する。
【００４２】
（Ｂ）需要家８０外からの要求に対する蓄電システム４０の調整量に関する情報として、第１電力管理システムサーバ１４ａからの要求に対する蓄電システム４０の調整不可能量が使用されてもよい。前述の例の場合、これは、第１需要家１６ａ内消費「４０」と第２群管理システム契約「２０」とを加算した「６０」に相当する。この場合のメッセージのフォーマットは図４（ｆ）のように示される。データのフィールドには、蓄電システム４０のポテンシャル「１００」と、第１電力管理システムサーバ１４ａからの要求に対する蓄電システム４０の調整不可能量「６０」が含まれる。第１群管理システムサーバ１２ａの処理部４１２は、蓄電システム４０のポテンシャル「１００」から、第１電力管理システムサーバ１４ａからの要求に対する蓄電システム４０の調整不可能量「６０」を減算することによって「４０」を算出する。
【００４３】
（Ｃ）第１電力管理システムサーバ１４ａは、蓄電システム４０において調整不可能である場合、需要家８０外からの要求に対する蓄電システム４０の調整量に関する情報において、調整不可能を示してもよい。この場合のメッセージのフォーマットは図４（ｇ）のように示される。データのフィールドには、調整不可能に関する情報が含まれる。
（Ｄ）需要家８０外からの要求に対する蓄電システム４０の調整量に関する情報において、蓄電システム４０が充電あるいは放電を実行可能な時間が示されてもよい。この場合のメッセージのフォーマットは図４（ｈ）のように示される。データのフィールドには、調整可能量「４０」と、蓄電システム４０が充電あるいは放電を実行可能な時間「１２：００−１４：００」が含まれる。
【００４４】
（Ｅ）需要家８０外からの要求に対する蓄電システム４０の調整量に関する情報において、蓄電システム４０が充電あるいは放電を実行不可能な時間が示されてもよい。この場合のメッセージのフォーマットは図４（ｉ）のように示される。データのフィールドには、調整不可能に関する情報と、蓄電システム４０が充電あるいは放電を実行不可能な時間「１２：００−１４：００」が含まれる。
なお、（Ａ）〜（Ｅ）の情報は、第２電力管理システムサーバ１４ｂにおいて使用されてもよい。
【００４５】
（２）調整の指示
処理部４１２は、上位システムサーバ１０からの要求に応じて、需要家８０外からの要求に対する蓄電システム４０の調整量をもとに、蓄電システム４０に対する要求を生成する。蓄電システム４０に対する要求は、例えば、蓄電システム４０における調整の要求であり、放電あるいは充電を指示する。処理部４１２は、蓄電システム４０における調整の要求を生成部４１４に出力する。
【００４６】
生成部４１４は、蓄電システム４０における調整を第１電力管理システムサーバ１４ａに要求するためのメッセージを生成する。図６（ａ）−（ｆ）は、群管理システムサーバ１２において使用される別のメッセージのフォーマットを示す。図６（ａ）において、メッセージ種別のフィールドには調整要求が示され、データのフィールドには放電量α増加が示される。これは、蓄電システム４０からの放電の増加指示であるといえ、増加の大きさαも示されている。なお、蓄電システム４０からの放電の減少指示であってもよく、減少の大きさが示されてもよい。
【００４７】
さらに、蓄電システム４０における充電の増加指示あるいは減少指示であってもよく、増加あるいは減少の大きさが示されてもよい。また、調整要求のメッセージのフォーマットは図６（ｂ）のように示されてもよい。データのフィールドには放電量α増加と「１２：００−１４：００」が示される。これによって、蓄電システム４０が充電あるいは放電を実行すべき時間に関する情報も示される。図３に戻る。生成部４１４は、調整要求のメッセージを送信部４１６に出力する。送信部４１６は、調整要求のメッセージを第１電力管理システムサーバ１４ａに送信する。
【００４８】
サービス連携部３００の受信部５１０は、調整要求のメッセージを受信する。処理部５１２は、メッセージ種別のフィールドをもとに調整要求であることを認識し、データのフィールドをもとに、「放電量α増加」となるように蓄電システム４０を制御することを認識する。処理部５１２は、制御部３０２を介して、「放電量α増加」となるように蓄電システム４０を制御する。制御部３０２は、需要家１６に設置された機器、例えば、スマートメータ３２、太陽電池システム３８、蓄電システム４０との連携を実現するための処理を実行する。連携によって、制御部３０２は、機器から情報を収集したり、機器を制御したりする。ここで、制御部３０２と各機器との間の通信は、所定のプロトコルにしたがった方式でなされる。所定のプロトコルは、例えば、「ＥＣＨＯＮＥＴ  Ｌｉｔｅ」、「ＥＣＨＯＮＥＴ」である。しかしながら、所定のプロトコルはこれらに限定されない。
【００４９】
図２における制御装置２１６の受信部４００は、蓄電システム４０における調整の要求に関するメッセージを第１電力管理システムサーバ１４ａから受信する。当該メッセージのフォーマットは、図４（ａ）と同じであってもよい。処理部４０２は、受信部４００において受信したメッセージをもとに、蓄電システム４０の動作を制御する。制御には公知の技術が使用されればよいので、ここでは説明を省略する。なお、処理部４０２による制御によって、蓄電システム４０における調整、つまり放電あるいは充電が完了した場合、制御装置２１６は、調整完了のメッセージを第１電力管理システムサーバ１４ａに送信してもよい。図３に戻る。
【００５０】
処理部５１２における処理が完了した場合、生成部５１４は、蓄電システム４０の制御実績を第１群管理システムサーバ１２ａに報告するためのメッセージを生成する。メッセージのフォーマットは図６（ｃ）のように示される。メッセージ種別のフィールドには調整報告が示され、データのフィールドには調整完了が示される。一方、制御装置２１６による制御によって、蓄電システム４０における調整が完了しなかった場合、生成部５１４は、蓄電システム４０が調整不可能である通知を第１群管理システムサーバ１２ａに報告するためのメッセージを生成する。メッセージのフォーマットは図６（ｄ）のように示される。データのフィールドには調整不可能が示される。
【００５１】
なお、制御装置２１６による制御によって、蓄電システム４０における調整が完了しなかった場合、生成部５１４は、蓄電システム４０が調整可能な内容を第１群管理システムサーバ１２ａに報告するためのメッセージを生成してもよい。メッセージのフォーマットは図６（ｅ）−（ｆ）のように示される。図６（ｅ）のデータのフィールドには、調整不可能が示されるとともに、放電量βであれば可能であることが示される。なおβ＜αである。図６（ｆ）のデータのフィールドには、調整不可能が示されるとともに、１５：００−１７：００であれば可能であることが示される。生成部５１４は、調整報告のメッセージを送信部５１６に出力する。送信部５１６は、調整報告のメッセージを第１群管理システムサーバ１２ａに送信する。
【００５２】
第１群管理システムサーバ１２ａの受信部４１０は、調整報告のメッセージを第１電力管理システムサーバ１４ａから受信する。処理部４１２は、メッセージ種別のフィールドをもとに調整報告であることを認識し、データのフィールドをもとに、調整完了、調整不可能、蓄電システム４０が調整可能な内容等を認識する。これまで説明した処理は、第２電力管理システムサーバ１４ｂに対しても同様になされる。そのため、処理部４１２は、第１群管理システムサーバ１２ａと第２群管理システムサーバ１２ｂのそれぞれに対して、蓄電システム４０に対する調整を要求する。
【００５３】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００５４】
これまでは、電力管理システムサーバ１４が需要家１６に配置されているとしている。しかしながら、電力管理システムサーバ１４の配置はこれに限定されない。ここでは、電力管理システムサーバ１４の様々な配置を説明する。図７（ａ）−（ｄ）は、ＶＰＰシステム１００における電力管理システムサーバ１４の様々な配置を示す。図７（ａ）は、電力管理システムサーバ１４が需要家１６に配置される場合であり、これまでと同一である。図７（ｂ）は、電力管理システムサーバ１４のうちのサービス連携部３００と制御部３０２とが別々の装置として構成され、制御部３０２だけが需要家１６に配置され、サービス連携部３００は需要家１６外に配置される場合である。
【００５５】
図７（ｃ）は、電力管理システムサーバ１４が需要家１６外に配置され、需要家１６にＧＷ（Ｇａｔｅｗａｙ）２０が配置される場合である。ここで、電力管理システムサーバ１４とＧＷ２０が接続されるとともに、ＧＷ２０には、図示しない機器が接続される。図７（ｄ）は、電力管理システムサーバ１４の機能が群管理システムサーバ１２に含まれ、需要家１６にＧＷ２０が配置される場合である。ここで、群管理システムサーバ１２とＧＷ２０が接続されるとともに、ＧＷ２０には、図示しない機器が接続される。
【００５６】
以上の構成によるＶＰＰシステム１００の動作を説明する。図８は、ＶＰＰシステム１００における処理手順を示すシーケンス図である。第１群管理システムサーバ１２ａは送信機能有無要求のメッセージを第１電力管理システムサーバ１４ａに送信する（Ｓ１０）。第１電力管理システムサーバ１４ａは送信機能有無応答のメッセージを第１群管理システムサーバ１２ａに送信する（Ｓ１２）。第１群管理システムサーバ１２ａは調整量要求のメッセージを第１電力管理システムサーバ１４ａに送信する（Ｓ１４）。第１電力管理システムサーバ１４ａは調整量応答のメッセージを第１群管理システムサーバ１２ａに送信する（Ｓ１６）。
【００５７】
第１群管理システムサーバ１２ａは送信機能有無要求のメッセージを第２電力管理システムサーバ１４ｂに送信する（Ｓ１８）。第２電力管理システムサーバ１４ｂは送信機能有無応答のメッセージを第１群管理システムサーバ１２ａに送信する（Ｓ２０）。第１群管理システムサーバ１２ａは調整量要求のメッセージを第２電力管理システムサーバ１４ｂに送信する（Ｓ２２）。第２電力管理システムサーバ１４ｂは調整量応答のメッセージを第１群管理システムサーバ１２ａに送信する（Ｓ２４）。
【００５８】
第１群管理システムサーバ１２ａは、調整要求のメッセージを第１電力管理システムサーバ１４ａに送信し（Ｓ２６）、調整要求のメッセージを第２電力管理システムサーバ１４ｂに送信する（Ｓ２８）。第１電力管理システムサーバ１４ａは調整報告のメッセージを第１群管理システムサーバ１２ａに送信し（Ｓ３０）、第２電力管理システムサーバ１４ｂは調整報告のメッセージを第１群管理システムサーバ１２ａに送信する（Ｓ３２）。
【００５９】
本実施例によれば、電力管理システムサーバ１４に要求を送信する前に、蓄電システム４０に関する情報を電力管理システムサーバ１４から受信するので、群管理システムサーバ１２と電力管理システムサーバ１４との間において蓄電システム４０に関する情報を伝送できる。また、蓄電システム４０に関する情報に、需要家１６外からの要求に対する蓄電システム４０の調整量に関する情報が含められるので、調整を指示するために必要な情報を収集できる。また、需要家１６外からの要求に対する蓄電システム４０の調整量に関する情報に、本群管理システムサーバ１２に対して蓄電システム４０が提供可能な調整量に関する情報が含められるので、処理を簡易にできる。また、需要家１６外からの要求に対する蓄電システム４０の調整量に関する情報に、本群管理システムサーバ１２以外に対して蓄電システム４０が提供する調整量に関する情報が含められるので、構成の自由度を向上できる。また、需要家１６外からの要求に対する蓄電システム４０の調整量に関する情報に、本群管理システムサーバ１２からの要求に対する蓄電システム４０の調整不可能量に関する情報が含められるので、構成の自由度を向上できる。
【００６０】
また、需要家１６外からの要求に対する蓄電システム４０の調整量に関する情報が、蓄電システム４０が放電あるいは充電可能な値として示されるので、処理を簡易にできる。また、需要家１６外からの要求に対する蓄電システム４０の調整量に関する情報に、要求に対して調整不可能である通知が含められるので、これに続く処理を実行できる。また、需要家１６外からの要求に対する蓄電システム４０の調整量に関する情報に、蓄電システム４０が充電あるいは放電を実行可能な時間に関する情報が含められるので、これに続く処理を実行できる。
【００６１】
また、需要家１６外からの要求に対する蓄電システム４０の調整量に関する情報に、蓄電システム４０が充電あるいは放電を実行不可能な時間に関する情報が含められるので、これに続く処理を実行できる。また、需要家１６外からの要求に対する蓄電システム４０の調整量に関する情報を送信する機能の有無に関する情報を受信するので、これに続く処理を実行できる。また、需要家１６外からの要求に対する蓄電システム４０の調整量に関する情報を送信する機能を有していることに関する情報を受信してから、蓄電システム４０の調整量に関する情報を要求するための情報を送信するので、処理の効率を向上できる。また、蓄電システム４０に関する情報として、需要家１６外からの要求に対する蓄電システム４０の調整量に関する情報を送信するので、群管理システムサーバ１２と電力管理システムサーバ１４との間において蓄電システム４０に関する情報を伝送できる。
【００６２】
また、蓄電システム４０に対する要求に関する情報を複数の電力管理システムサーバ１４の少なくとも１つに送信するので、群管理システムサーバ１２と電力管理システムサーバ１４との間において蓄電システム４０に関する情報を伝送できる。また、蓄電システム４０に対する要求に関する情報に、蓄電システム４０における調整の要求に関する情報を含めるので、蓄電システム４０の調整を電力管理システムサーバ１４に要求できる。また、蓄電システム４０の調整が電力管理システムサーバ１４に要求されるので、蓄電システム４０の調整の効率を向上できる。また、蓄電システム４０からの出力の増加指示あるいは減少指示に関する情報を送信するので、出力の増加あるいは減少を直接指示できる。また、蓄電システム４０からの出力の増加指示あるいは減少指示に関する情報に、増加あるいは減少の大きさに関する情報を含めるので、大きさを直接指示できる。また、蓄電システム４０における調整の要求に関する情報に、蓄電システム４０が充電あるいは放電を実行すべき時間に関する情報を含めるので、蓄電システム４０における調整の効率をさらに向上できる。
【００６３】
また、蓄電システム４０の制御実績に関する情報を電力管理システムサーバ１４から受信するので、蓄電システム４０の動作状態を把握できる。また、蓄電システム４０の動作状態が把握されるので、これに続く処理の精度を向上できる。また、蓄電システム４０が調整不可能である通知を電力管理システムサーバ１４から受信するので、新たな指示を実行できる。また、蓄電システム４０が調整可能な内容を電力管理システムサーバ１４から受信するので、新たな指示を実行できる。また、蓄電システム４０に対する要求に関する情報として、蓄電システム４０における調整の要求に関する情報を受信するので、群管理システムサーバ１２と電力管理システムサーバ１４との間において蓄電システム４０に関する情報を伝送できる。また、本蓄電システム４０に対する要求に関する情報として、本蓄電システム４０における調整の要求に関する情報を受信するので、要求に応じた動作を制御できる。
【００６４】
本発明の一態様の概要は、次の通りである。
［項目１−１］
蓄電システム４０の動作を制御する複数の電力管理システムサーバ１４に接続される群管理システムサーバ１２であって、
蓄電システム４０に対する要求に関する情報を生成する生成部４１４と、
前記生成部４１４において生成した情報を前記複数の電力管理システムサーバ１４の少なくとも１つに送信する送信部４１６とを備え、
前記蓄電システム４０に対する要求に関する情報は、前記蓄電システム４０における調整の要求に関する情報を含むことを特徴とする群管理システムサーバ１２。
【００６５】
［項目１−２］
前記蓄電システム４０における調整の要求に関する情報は、前記蓄電システム４０からの出力の増加指示あるいは減少指示に関する情報を含むことを特徴とする項目１−１に記載の群管理システムサーバ１２。
［項目１−３］
前記蓄電システム４０からの出力の増加指示あるいは減少指示に関する情報は、増加あるいは減少の大きさに関する情報を含むことを特徴とする項目１−２に記載の群管理システムサーバ１２。
［項目１−４］
前記蓄電システム４０における調整の要求に関する情報は、前記蓄電システム４０が充電あるいは放電を実行すべき時間に関する情報を含むことを特徴とする項目１−１に記載の群管理システムサーバ１２。
【００６６】
［項目１−７］
前記蓄電システム４０における調整の要求に関する情報が前記送信部４１６から送信された後、前記蓄電システム４０の制御実績に関する情報を前記電力管理システムサーバ１４から受信する受信部４１０をさらに備えることを特徴とする項目１から５のいずれか１項に記載の群管理システムサーバ１２。
［項目１−８］
前記蓄電システム４０における調整の要求に関する情報が前記送信部４１６から送信された後、前記蓄電システム４０が調整不可能である通知を前記電力管理システムサーバ１４から受信する受信部４１０をさらに備えることを特徴とする項目１−１から１−５のいずれか１項に記載の群管理システムサーバ１２。
［項目１−９］
前記蓄電システム４０における調整の要求に関する情報が前記送信部４１６から送信された後、前記蓄電システム４０が調整可能な内容を前記電力管理システムサーバ１４から受信する受信部４１０をさらに備えることを特徴とする項目１−１から１−５のいずれか１項に記載の群管理システムサーバ１２。
【００６７】
［項目１−１０］
群管理システムサーバ１２に接続される複数の電力管理システムサーバ１４のうちの１つの電力管理システムサーバ１４であって、
蓄電システム４０に対する要求に関する情報を前記群管理システムサーバ１２から受信する受信部５１０と、
前記受信部５１０において受信した情報をもとに、前記蓄電システム４０の動作を制御する処理部５１２とを備え、
前記蓄電システム４０に対する要求に関する情報は、前記蓄電システム４０における調整の要求に関する情報を含むことを特徴とする電力管理システムサーバ１４。
［項目１−１１］
群管理システムサーバ１２に接続される複数の電力管理システムサーバ１４のうちの１つの電力管理システムサーバ１４に接続される蓄電システム４０であって、
本蓄電システム４０に対する要求に関する情報を前記電力管理システムサーバ１４から受信する受信部４００と、
前記受信部４００において受信した情報をもとに、本蓄電システム４０の動作を制御する処理部４０２とを備え、
本蓄電システム４０に対する要求に関する情報は、本蓄電システム４０における調整の要求に関する情報を含むことを特徴とする蓄電システム４０。
【００６８】
［項目１−１２］
蓄電システム４０の動作を制御する複数の電力管理システムサーバ１４に接続される群管理システムサーバ１２における送信方法であって、
蓄電システム４０に対する要求に関する情報を生成するステップと、
生成した情報を前記複数の電力管理システムサーバ１４の少なくとも１つに送信するステップとを備え、
前記蓄電システム４０に対する要求に関する情報は、前記蓄電システム４０における調整の要求に関する情報を含むことを特徴とする送信方法。
［項目１−１３］
蓄電システム４０の動作を制御する複数の電力管理システムサーバ１４に接続される群管理システムサーバ１２におけるプログラムであって、
蓄電システム４０に対する要求に関する情報を生成するステップと、
生成した情報を前記複数の電力管理システムサーバ１４の少なくとも１つに送信するステップとを備え、
前記蓄電システム４０に対する要求に関する情報は、前記蓄電システム４０における調整の要求に関する情報を含むことをコンピュータに実行させるためのプログラム。
【００６９】
［項目２−１］
需要家１６に設置された蓄電システム４０の動作を制御する電力管理システムサーバ１４に接続される群管理システムサーバ１２であって、
前記電力管理システムサーバ１４に要求を送信する前に、蓄電システム４０に関する情報を前記電力管理システムサーバ１４から受信する受信部４１０と、
前記受信部４１０において受信した情報をもとに処理を実行する処理部４１２とを備え、
前記蓄電システム４０に関する情報は、前記需要家１６外からの要求に対する蓄電システム４０の調整量に関する情報を含むことを特徴とする群管理システムサーバ１２。
［項目２−２］
前記需要家１６外からの要求に対する蓄電システム４０の調整量に関する情報は、本群管理システムサーバ１２に対して蓄電システム４０が提供可能な調整量に関する情報を含むことを特徴とする項目２−１に記載の群管理システムサーバ１２。
［項目２−３］
前記需要家１６外からの要求に対する蓄電システム４０の調整量に関する情報は、本群管理システムサーバ１２以外に対して蓄電システム４０が提供する調整量に関する情報を含むことを特徴とする項目２−１に記載の群管理システムサーバ１２。
［項目２−４］
前記需要家１６外からの要求に対する蓄電システム４０の調整量に関する情報は、本群管理システムサーバ１２からの要求に対する蓄電システム４０の調整不可能量に関する情報を含むことを特徴とする項目２−１に記載の群管理システムサーバ１２。
【００７０】
［項目２−５］
前記需要家１６外からの要求に対する蓄電システム４０の調整量に関する情報は、蓄電システム４０が放電あるいは充電可能な値として示されることを特徴とする項目２−１から２−４のいずれか１項に記載の群管理システムサーバ１２。
［項目２−６］
前記需要家１６外からの要求に対する蓄電システム４０の調整量に関する情報は、要求に対して調整不可能である通知を含むことを特徴とする項目２−１から２−５のいずれか１項に記載の群管理システムサーバ１２。
［項目２−７］
前記需要家１６外からの要求に対する蓄電システム４０の調整量に関する情報は、前記蓄電システム４０が充電あるいは放電を実行可能な時間に関する情報を含むことを特徴とする項目２−１から２−６のいずれか１項に記載の群管理システムサーバ１２。
【００７１】
［項目２−８］
前記需要家１６外からの要求に対する蓄電システム４０の調整量に関する情報は、前記蓄電システム４０が充電あるいは放電を実行不可能な時間に関する情報を含むことを特徴とする項目２−１から２−６のいずれか１項に記載の群管理システムサーバ１２。
［項目２−１１］
前記受信部４１０は、前記需要家１６外からの要求に対する蓄電システム４０の調整量に関する情報を送信する機能の有無に関する情報を前記電力管理システムサーバ１４から受信することを特徴とする項目２−１から２−１０のいずれかに記載の群管理システムサーバ１２。
［項目２−１２］
前記受信部４１０において、前記需要家１６外からの要求に対する蓄電システム４０の調整量に関する情報を送信する機能を有していることに関する情報を受信してから、前記需要家１６外からの要求に対する蓄電システム４０の調整量に関する情報を要求するための情報を送信する送信部４１６をさらに備えることを特徴とする項目２−１１に記載の群管理システムサーバ１２。
【００７２】
［項目２−１５］
需要家１６に設置された蓄電システム４０の動作を制御するとともに、群管理システムサーバ１２に接続される電力管理システムサーバ１４であって、
蓄電システム４０に関する情報を生成する生成部５１４と、
前記生成部５１４において生成した情報を前記群管理システムサーバ１２に送信する送信部５１６とを備え、
前記蓄電システム４０に関する情報は、前記需要家１６外からの要求に対する前記蓄電システム４０の調整量に関する情報を含むことを特徴とする電力管理システムサーバ１４。
［項目２−１６］
需要家１６に設置された蓄電システム４０の動作を制御する電力管理システムサーバ１４に接続される群管理システムサーバ１２における受信方法あって、
前記電力管理システムサーバ１４に要求を送信する前に、蓄電システム４０に関する情報を前記電力管理システムサーバ１４から受信するステップと、
受信した情報をもとに処理を実行するステップとを備え、
前記蓄電システム４０に関する情報は、前記需要家１６外からの要求に対する蓄電システム４０の調整量に関する情報を含むことを特徴とする受信方法。
［項目２−１７］
需要家１６に設置された蓄電システム４０の動作を制御する電力管理システムサーバ１４に接続される群管理システムサーバ１２におけるプログラムあって、
前記電力管理システムサーバ１４に要求を送信する前に、蓄電システム４０に関する情報を前記電力管理システムサーバ１４から受信するステップと、
受信した情報をもとに処理を実行するステップとを備え、
前記蓄電システム４０に関する情報は、前記需要家１６外からの要求に対する蓄電システム４０の調整量に関する情報を含むことをコンピュータに実行させるためのプログラム。
【００７３】
（実施例２）
次に、実施例２を説明する。実施例２は、実施例１と同様にＶＰＰに関する。実施例２は、調整量応答のメッセージに含まれる「需要家８０外からの要求に対する蓄電システム４０の調整量」に関する情報の別の例を説明する。実施例２に係るＶＰＰシステム１００、需要家１６、第１群管理システムサーバ１２ａ、第１電力管理システムサーバ１４ａ、第２電力管理システムサーバ１４ｂの構成は図１、図２、図３と同様のタイプである。ここでは、実施例１との差異を中心に説明する。
【００７４】
図９（ａ）−（ｂ）は、実施例２に係る電力管理システムサーバ１４の処理概要を示す。図９（ａ）は、電力管理システムサーバ１４によって管理される蓄電システム４０の放電と充電の概要を示す。ここでは、放電も充電もしてない状態を原点「０」とし、原点から上に向く方向を「放電」とし、原点から下に向く方向を「充電」とする。また、放電において上に行くほど放電量が増加し、充電において下に行くほど充電量が増加する。放電量が「Ｘ１」の状態において放電量を増加することは、「Ｘ１」の状態から上に進むことに相当し、放電量が「Ｘ１」の状態において放電量を減少することは、「Ｘ１」の状態から下に進むことに相当する。また、充電量が「Ｙ１」の状態において充電量を減少することは、「Ｙ１」の状態から上に進むことに相当し、充電量が「Ｙ１」の状態において充電量を増加することは、「Ｙ１」の状態から下に進むことに相当する。
【００７５】
電力系統３０の電力が逼迫する場合、放電量が「Ｘ１」の状態であれば、放電量を増加することが好ましい。また、電力系統３０の電力が逼迫する場合、充電量が「Ｙ１」の状態であれば、充電量を減少することが好ましい。つまり、このような状況において、上に進むように、放電量を増加することと充電量を減少することとは、同様の効果を有する。そのため、電力系統３０の電力が逼迫する場合に、放電量を増加できなければ、充電量を減少させればよいことになる。一方、充電量を減少できなければ、放電量を増加させればよいことになる。
【００７６】
また、電力系統３０の電力が余る場合、放電量が「Ｘ１」の状態であれば、放電量を減少することが好ましい。また、電力系統３０の電力が余る場合、充電量が「Ｙ１」の状態であれば、充電量を増加することが好ましい。つまり、このような状況において、下に進むように、放電量を減少することと充電量を増加することとは、同様の効果を有する。そのため、電力系統３０の電力が余る場合に、放電量を減少できなければ、充電量を増加させればよいことになる。一方、充電量を増加できなければ、放電量を減少させればよいことになる。
【００７７】
このような状況を図３の第１群管理システムサーバ１２ａに知らせるために、サービス連携部３００の生成部５１４は、調整量要求に応答するためのメッセージを生成する。図１０（ａ）−（ｄ）は、実施例２に係る群管理システムサーバ１２において使用されるメッセージのフォーマットを示す。図１０（ａ）においてメッセージ種別のフィールドには調整量応答が示され、データのフィールドには、充電量Ａは減少可能であるが、放電量は増加不可能であることが示される。また、図１０（ｂ）において、データのフィールドには、放電量Ｂは減少可能であるが、充電量は増加不可能であることが示される。これらより、需要家８０外からの要求に対する蓄電システム４０の調整量に関する情報は、蓄電システム４０が充電可能であるか否かに関する情報と、蓄電システム４０が放電可能であるか否かに関する情報であるといえる。
【００７８】
図９（ｂ）は、電力管理システムサーバ１４によって管理される需要家１６における売電と買電の概要を示す。これまで説明した放電は、売電が増えること、あるいは買電が減ることに相当する。例えば、負荷３６の消費電力が３ｋＷであり、太陽電池システム３８での発電が０ｋＷであることによって、買電が３ｋＷである場合に、放電すれば買電が減る。また、負荷３６の消費電力が１ｋＷであり、太陽電池システム３８での発電が２ｋＷであることによって、売電が１ｋＷである場合に、放電すれば売電が増える。同様に、充電は、売電が減ること、あるいは買電が増えることに相当する。そのため、電力系統３０の電力が逼迫する場合に、売電量を増加できなければ、買電量を減少させればよいことになる。一方、買電量を減少できなければ、売電量を増加させればよいことになる。また、電力系統３０の電力が余る場合に、売電量を減少できなければ、買電量を増加させればよいことになる。一方、買電量を増加できなければ、売電量を減少させればよいことになる。
【００７９】
このような状況を図３の第１群管理システムサーバ１２ａに知らせるために、サービス連携部３００の生成部５１４は、調整量要求に応答するためのメッセージを生成する。図１０（ｃ）においてデータのフィールドには、買電量Ｃは減少可能であるが、売電量は増加不可能であることが示される。また、図１０（ｄ）において、データのフィールドには、売電量Ｄは減少可能であるが、買電量は増加不可能であることが示される。これらより、需要家８０外からの要求に対する蓄電システム４０の調整量に関する情報は、需要家１６が買電可能であるか否かに関する情報と、需要家１６が売電可能であるか否かに関する情報であるといえる。
【００８０】
図３のサービス連携部３００の生成部５１４は、調整量応答のメッセージを送信部５１６に出力する。送信部５１６は、調整量応答のメッセージを第１群管理システムサーバ１２ａに送信する。第１群管理システムサーバ１２ａの受信部４１０は、調整量応答のメッセージを第１電力管理システムサーバ１４ａから受信する。処理部４１２は、データのフィールドに含まれた情報をもとに、蓄電システム４０に対する要求を生成する。
【００８１】
本実施例によれば、蓄電システム４０が充電可能であるか否かに関する情報と、前記蓄電システム４０が放電可能であるか否かに関する情報とを受信するので、蓄電システム４０の状態を詳細に知ることができる。また、蓄電システム４０の状態を詳細に知るので、蓄電システム４０に対する制御の精度を向上できる。また、需要家１６が買電可能であるか否かに関する情報と、需要家１６が売電可能であるか否かに関する情報とを受信するので、需要家１６の状態を詳細に知ることができる。また、蓄電システム４０の状態を詳細に知るので、蓄電システム４０に対する制御の精度を向上できる。
【００８２】
本発明の一態様の概要は、次の通りである。
［項目２−９］
前記需要家１６外からの要求に対する蓄電システム４０の調整量に関する情報は、前記蓄電システム４０が充電可能であるか否かに関する情報と、前記蓄電システム４０が放電可能であるか否かに関する情報とを含むことを特徴とする項目２−１から２−８のいずれか１項に記載の群管理システムサーバ１２。
［項目２−１０］
前記需要家１６外からの要求に対する蓄電システム４０の調整量に関する情報は、前記需要家１６が買電可能であるか否かに関する情報と、前記需要家１６が売電可能であるか否かに関する情報とを含むことを特徴とする項目２−１から２−８のいずれか１項に記載の群管理システムサーバ１２。
【００８３】
（実施例３）
次に、実施例３を説明する。実施例３は、これまでと同様にＶＰＰに関する。電力管理システムは、電力需要の変動に応じて、需要家に設置された蓄電システム等の電力の消費量あるいは供給量を変更可能な機器を制御する。ここで、電力系統における電力需要の変動は、変動周期が互いに異なった微少変動分、短周期成分、長周期成分の合成によって示される。なお、これらの合成の割合は状況に応じて異なる。一方、機器における電力の変動速度、つまり電力の消費量あるいは供給量を変更する速度は、機器の種類に応じて異なる。そのため、電力需要の変動に適した機器を制御すべきある。例えば、電力需要の変動において変動周期の短い微少変動分が支配的である場合、電力の変動速度が高速な機器を制御すべきである。
【００８４】
このような制御を可能にするために、実施例３に係る電力管理システムは、変動量応答のメッセージを送信する場合に、各機器における電力の変動速度に関するメッセージも送信する。実施例３に係るＶＰＰシステム１００、需要家１６、第１群管理システムサーバ１２ａ、第１電力管理システムサーバ１４ａ、第２電力管理システムサーバ１４ｂの構成は図１、図２、図３と同様のタイプである。ここでは、これまでとの差異を中心に説明する。
【００８５】
図１１は、実施例３における電力需要の変動を示す。横軸は時間を示し、縦軸は電力需要を示す。微少変動分７００は数十秒程度の変動周期を有し、短周期成分７０２は数分程度の変動周期を有し、長周期成分７０４は数十分程度の変動周期を有する。つまり、微少変動分７００の変動周期が最も短く、長周期成分７０４の変動周期が最も長い。総需要変動７０６は実際の電力需要の変動であり、微少変動分７００から長周期成分７０４の合成によって示される。なお、総需要変動７０６における微少変動分７００から長周期成分７０４の合成の割合は状況に応じて異なる。例えば、微少変動分７００が支配的になることもあれば、長周期成分７０４が支配的になることもある。
【００８６】
図１２は、実施例３に係る電力管理システムサーバ１４において定義される変動速度を示す。機器における電力の変動速度に関する情報は、変動速度に応じて複数段階規定される。ここでは、ガバナ・フリー機能、自動周波数制御機能、運転基準集力制御機能の３段階が規定される。また、ガバナ・フリー機能には値「１」が対応づけられ、自動周波数制御機能には値「２」が対応づけられ、運転基準出力制御機能には値「３」が対応づけられる。なお、ガバナ・フリー機能、自動周波数制御機能、運転基準集力制御機能については説明を省略するが、ガバナ・フリー方式による電力の変動速度は、前述の微少変動分７００にも追従可能である。自動周波数制御方式による電力の変動速度は、ガバナ・フリー方式による電力の変動速度よりも遅く、短周期成分７０２に追従可能であるが、微少変動分７００に追従不可能である。運転基準出力制御方式による電力の変動速度は、自動周波数制御方式による電力の変動速度よりも遅く、長周期成分７０４に追従可能であるが、短周期成分７０２に追従不可能である。
【００８７】
図３の第１群管理システムサーバ１２ａの生成部４１４は、蓄電システム４０における電力の変動速度を第１電力管理システムサーバ１４ａに要求するためのメッセージを生成する。このメッセージは、例えば、調整量要求のメッセージを生成するタイミングに近いタイミングで生成される。メッセージのフォーマットは、図４（ａ）と同様である。メッセージ種別のフィールドには変動速度要求が示され、データのフィールドには変動速度が示される。生成部４１４は、変動速度要求のメッセージを送信部４１６に出力する。送信部４１６は、調整要求のメッセージを第１電力管理システムサーバ１４ａに送信する。
【００８８】
サービス連携部３００の受信部５１０は、変動速度要求のメッセージを受信する。処理部５１２は、メッセージ種別のフィールドをもとに変動速度要求であることを認識し、データのフィールドをもとに、蓄電システム４０の変動速度を通知すべきであることを認識する。これに続いて、生成部５１４は、変動速度要求に応答するためのメッセージを生成する。
【００８９】
図１３（ａ）−（ｄ）は、実施例３に係る群管理システムサーバ１２において使用されるメッセージのフォーマットを示す。図１３（ａ）において、メッセージ種別のフィールドには変動速度応答が示される。データのフィールドには、第１電力管理システムサーバ１４ａに接続された蓄電システム４０の変動速度に関する情報が示される。蓄電システム４０に、ガバナ・フリー機能、自動周波数制御機能、運転基準集力制御機能がいずれも備えられていれば、データのフィールドには「１、２、３」が示される。つまり、データのフィールドに「１」があるか否かはガバナ・フリー機能の有無を示しており、「２」があるか否かは自動周波数制御機能の有無を示しており、「３」があるか否かは運転基準出力制御機能の有無を示す。
【００９０】
ここで、データのフィールドに複数の値が挿入される場合、データのフィールドには、複数段階のそれぞれに対する優先順位に関する情報も含まれてもよい。前述のごとく、蓄電システム４０は、ガバナ・フリー機能、自動周波数制御機能、運転基準集力制御機能がいずれも備えられているとする。ここで、変動速度が速い機能を使用するほどＶＰＰから得られる報酬が多くなるとの契約がＶＰＰとの間でなされている場合、蓄電システム４０のガバナ・フリー機能が優先して使用されるべきである。これに対応するために、データのフィールドには優先順位に関する情報も含まれる。例えば、図１３（ｂ）のごとく、値「１」の後に優先順位「（１）」が追加される。一方、変動速度の遅い機能を優先的に使用させたい場合、値「３」の後に優先順位「（１）」が追加される。
【００９１】
図１３（ｃ）は、蓄電システム４０に、自動周波数制御機能、運転基準集力制御機能が備えられている場合の変動速度応答のメッセージのフォーマットを示す。データのフィールドには「２、３」が示される。図１３（ｄ）は、蓄電システム４０に、運転基準集力制御機能だけが備えられている場合の変動速度応答のメッセージのフォーマットを示す。データのフィールドには「３」が示される。
【００９２】
生成部５１４は、変動速度応答のメッセージを送信部５１６に出力する。送信部５１６は、変動速度応答のメッセージを第１群管理システムサーバ１２ａに送信する。第１群管理システムサーバ１２ａの受信部４１０は、変動速度応答のメッセージを第１電力管理システムサーバ１４ａから受信する。処理部４１２は、データのフィールドに含まれた情報をもとに、蓄電システム４０に対する要求を生成する。
【００９３】
本実施例によれば、蓄電システム４０における電力の変動速度に関する情報が含まれたメッセージを受信するので、蓄電システム４０における電力の変動速度を収集できる。蓄電システム４０における電力の変動速度が収集されるので、電力需要の変動速度に適した制御を実行できる。また、蓄電システム４０における電力の変動速度に関する情報は、ガバナ・フリー機能の有無に関する情報を含むので、微少変動分７００に対応できるか否かを認識できる。また、蓄電システム４０における電力の変動速度に関する情報は、自動周波数制御機能の有無に関する情報を含むので、短周期成分７０２に対応できるか否かを認識できる。また、蓄電システム４０における電力の変動速度に関する情報は、運転基準出力制御機能の有無に関する情報を含むので、長周期成分７０４に対応できるか否かを認識できる。
【００９４】
また、蓄電システム４０における電力の変動速度に関する情報は、変動速度に応じて規定された複数段階の少なくとも１つを示すので、メッセージに含まれるデータ量を低減できる。また、蓄電システム４０における電力の変動速度に関する情報は、複数段階のそれぞれに対する優先順位に関する情報を含むので、優先的に使用させたい蓄電システム４０を知らせることができる。
【００９５】
本発明の一態様の概要は、次の通りである。
［項目２−１３］
前記蓄電システム４０に関する情報は、前記蓄電システム４０における電力の変動速度に関する情報を含むことを特徴とする項目２−１に記載の群管理システムサーバ１２。
［項目２−１４］
前記蓄電システム４０に関する情報は、前記蓄電システム４０における電力の変動速度の優先順位に関する情報を含むことを特徴とする項目２−１３に記載の群管理システムサーバ１２。
【００９６】
（実施例４）
次に、実施例４を説明する。実施例４は、これまでと同様にＶＰＰに関する。これまで、調整要求のメッセージにおけるデータのフィールドに、蓄電システム４０が充電あるいは放電を実行すべき時間に関する情報が示される場合を説明した。しかしながら、蓄電システム４０が充電あるいは放電を実行すべき時間ではなく、蓄電システム４０が充電あるいは放電を実行可能な時間を含めてもよい。この場合、充電あるいは放電を実際に実行する時間は、電力管理システムサーバ１４によって決定される。このように電力管理システムサーバ１４が自律的に動作する場合、予定よりも多くの数の電力管理システムサーバ１４が蓄電システム４０に放電を実行させる状況も発生しうる。そのような状況の発生を抑制するために、群管理システムサーバ１２は、電力管理システムサーバ１４に対して、蓄電システム４０に放電を禁止させることを指示する。実施例４に係るＶＰＰシステム１００、需要家１６、第１群管理システムサーバ１２ａ、第１電力管理システムサーバ１４ａ、第２電力管理システムサーバ１４ｂの構成は図１、図２、図３と同様のタイプである。ここでは、これまでとの差異を中心に説明する。
【００９７】
図３の生成部４１４は、蓄電システム４０における調整を第１電力管理システムサーバ１４ａに要求するためのメッセージを生成する。図１４（ａ）−（ｃ）は、実施例４に係る群管理システムサーバ１２において使用されるメッセージのフォーマットを示す。図１４（ａ）において、メッセージ種別のフィールドには調整要求が示され、データのフィールドには放電量α可能と「１２：００−１８：００のうちの１時間」が示される。これによって、蓄電システム４０が充電あるいは放電を実行可能な時間も示される。図１４（ｂ）−（ｃ）は後述し、図３に戻る。生成部４１４は、調整要求のメッセージを送信部４１６に出力する。送信部４１６は、調整要求のメッセージを第１電力管理システムサーバ１４ａに送信する。
【００９８】
サービス連携部３００の受信部５１０は、調整要求のメッセージを受信する。処理部５１２は、メッセージ種別のフィールドをもとに調整要求であることを認識し、データのフィールドをもとに、「１２：００−１８：００のうちの１時間」において「放電量α可能」であることを認識する。処理部５１２は、制御部３０２を介して、蓄電システム４０等から予め収集した情報をもとに、例えば１３：００から放電を開始することを決定する。これに続いて、生成部５１４は、調整開始を知らせるためのメッセージを生成する。
【００９９】
メッセージのフォーマットは図１４（ｂ）のように示され、メッセージ種別のフィールドには調整開始が示され、データのフィールドには、１３：００から放電が開始されることが示される。そのため、調整開始のメッセージには、充電あるいは放電の実行開始に関する情報が含まれる。ここでは、説明を明瞭にするために、放電の実行開始を一例として説明するが、充電の実行開始でも同様の処理がなされればよい。図３に戻る。生成部５１４は、調整開始のメッセージを送信部５１６に出力する。送信部５１６は、調整開始のメッセージを第１群管理システムサーバ１２ａに送信する。
【０１００】
第１群管理システムサーバ１２ａの受信部４１０は、調整開始のメッセージを第１電力管理システムサーバ１４ａから受信する。処理部４１２は、メッセージ種別のフィールドをもとに調整開始であることを認識し、データのフィールドをもとに、１３：００から放電が開始されることを認識する。これまで説明した処理は、第２電力管理システムサーバ１４ｂ等に対しても同様になされる。そのため、処理部４１２は、複数の電力管理システムサーバ１４から放電の実行開始に関する情報を取得する。ここで、同一の時間帯に放電を実行する蓄電システム４０の数がしきい値よりも多い場合に、不要な放電を抑制するために、処理部４１２は、少なくとも１つの電力管理システムサーバ１４に放電の実行を禁止させることを決定する。例えば、調整量応答のメッセージの受信時刻が遅い方の電力管理システムサーバ１４から順に、放電を実行禁止させるための電力管理システムサーバ１４が選択される。
【０１０１】
生成部４１４は、充電あるいは放電を実行禁止させるためのメッセージを生成する。メッセージのフォーマットは図１４（ｃ）のように示され、メッセージ種別のフィールドには調整要求が示され、データのフィールドには放電禁止が示される。なお、充電を禁止させる場合には、データのフィールドに充電禁止が示される。図３に戻る。生成部４１４は、調整要求のメッセージを送信部４１６に出力する。送信部４１６は、処理部４１２において選択された電力管理システムサーバ１４に対して、調整要求のメッセージを送信する。これを受信した電力管理システムサーバ１４は放電を実行しない。
【０１０２】
以上の構成によるＶＰＰシステム１００の動作を説明する。図１５は、実施例４に係るＶＰＰシステム１００における処理手順を示すシーケンス図である。第１群管理システムサーバ１２ａは調整要求のメッセージを第１電力管理システムサーバ１４ａに送信する（Ｓ５０）。第１群管理システムサーバ１２ａは調整要求のメッセージを第２電力管理システムサーバ１４ｂに送信する（Ｓ５２）。第１群管理システムサーバ１２ａは調整要求のメッセージを第３電力管理システムサーバ１４ｃに送信する（Ｓ５４）。
【０１０３】
第１電力管理システムサーバ１４ａは調整開始のメッセージを第１群管理システムサーバ１２ａに送信する（Ｓ５６）。第２電力管理システムサーバ１４ｂは調整開始のメッセージを第１群管理システムサーバ１２ａに送信する（Ｓ５８）。第３電力管理システムサーバ１４ｃは調整開始のメッセージを第１群管理システムサーバ１２ａに送信する（Ｓ６０）。第１群管理システムサーバ１２ａは調整要求（禁止）のメッセージを第３電力管理システムサーバ１４ｃに送信する（Ｓ６２）。第１電力管理システムサーバ１４ａは調整報告のメッセージを第１群管理システムサーバ１２ａに送信する（Ｓ６４）。第２電力管理システムサーバ１４ｂは調整報告のメッセージを第１群管理システムサーバ１２ａに送信する（Ｓ６６）。
【０１０４】
本実施例によれば、蓄電システム４０における調整の要求に関する情報に、蓄電システム４０が充電あるいは放電を実行可能な時間に関する情報を含めるので、充電あるいは放電を実行する時間を蓄電システム４０に決めさせることができる。また、充電あるいは放電を実行する時間を蓄電システム４０に決めさせるので、蓄電システム４０にとって都合のよいタイミングに充電あるいは放電を実行させることができる。また、充電あるいは放電の実行開始に関する情報を受信するので、蓄電システム４０が充電あるいは放電を実行するタイミングを知ることができる。また、同一のタイミングにおいて、充電あるいは放電を実行開始する蓄電システム４０が多ければ、充電あるいは放電の実行禁止に関する情報を送信するので、充電あるいは放電を実行する蓄電システム４０の数が多くなりすぎることを抑制できる。
【０１０５】
本発明の一態様の概要は、次の通りである。
［項目１−５］
前記蓄電システム４０における調整の要求に関する情報は、前記蓄電システム４０が充電あるいは放電を実行可能な時間に関する情報を含むことを特徴とする項目１−１に記載の群管理システムサーバ１２。
［項目１−６］
前記蓄電システム４０が充電あるいは放電を実行可能な時間に関する情報が前記送信部４１６から送信された後、充電あるいは放電の実行開始に関する情報を前記電力管理システムサーバ１４から受信する受信部４１０をさらに備え、
前記送信部４１６は、前記充電あるいは放電の実行開始に関する情報の内容に応じて、充電あるいは放電の実行禁止に関する情報を前記電力管理システムサーバ１４に送信することを特徴とする項目１−５に記載の群管理システムサーバ１２。
【０１０６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【０１０７】
実施例３において、機器における電力の変動速度に関する情報として、ガバナ・フリー機能、自動周波数制御機能、運転基準集力制御機能の３段階が規定される。しかしながらこれに限らず例えば、３段階の内容はこれに限定されず、さらに３段階とは異なった数の段階が規定されてもよい。あるいは複数の段階が規定されず、機器における電力の変動速度が直接示されてもよい。本変形例によれば、構成の自由度を拡張できる。
【符号の説明】
【０１０８】
１０  上位システムサーバ、  １２  群管理システムサーバ（群管理システム）、  １４  電力管理システムサーバ（電力管理システム）、  １６  需要家、  １８  ネットワーク、  ２０  ＧＷ、  ３０  電力系統、  ３２  スマートメータ、  ３４  分電盤、  ３６  負荷、  ３８  太陽電池システム、  ４０  蓄電システム、  ４２  配電線、  １００  ＶＰＰシステム、  ２００  ＰＶ、  ２０２  ＰＶ用ＤＣ／ＤＣ、  ２０４  ＰＶ用ＤＣ／ＡＣ、  ２１０  ＳＢ、  ２１２  ＳＢ用ＤＣ／ＤＣ、  ２１４  双方向ＤＣ／ＡＣインバータ、  ２１６  制御装置、  ３００  サービス連携部、  ３０２  制御部、  ４００  受信部、  ４０２  処理部、  ４１０  受信部、  ４１２  処理部、  ４１４  生成部、  ４１６  送信部、  ５１０  受信部、  ５１２  処理部、  ５１４  生成部、  ５１６  送信部。
【図１】
2018207721.tif 000003
【図２】
2018207721.tif 000004
【図３】
2018207721.tif 000005
【図４】
2018207721.tif 000006
【図５】
2018207721.tif 000007
【図６】
2018207721.tif 000008
【図７】
2018207721.tif 000009
【図８】
2018207721.tif 000010
【図９】
2018207721.tif 000011
【図１０】
2018207721.tif 000012
【図１１】
2018207721.tif 000013
【図１２】
2018207721.tif 000014
【図１３】
2018207721.tif 000015
【図１４】
2018207721.tif 000016
【図１５】
2018207721.tif 000017